(57)【要約】【課題】  画像読取装置において、原稿台ガラスを外さずに「先端ずれ」や「先端傾き」などの画像歪みの矯正を行う装置を提供する。【解決手段】  画像読取用の光学ユニットを走査するための駆動力伝達用ワイヤーの少なくとも２つ以上の終端部を画像読取装置筐体の外側に固定し、また、ワイヤー終端部の固定位置を移動可能な形態とすることによって、ワイヤーに固定された光学ユニットの走査方向に対する相対位置調整を行う。【選択図】  図４
2005195814.tif 000002
【特許請求の範囲】
【請求項１】
筐体と、
前記筐体内に格納された画像読み取りのための光学ユニットと、
前記光学ユニットを移動するための光学ユニット駆動機構と
を具備し、
前記光学ユニット駆動機構は、
駆動モータと、
前記駆動モータのトルクを前記光学ユニットに伝達する第１のワイヤーと第２のワイヤーと
を備え、
前記第１のワイヤーと第２のワイヤー各々は２つの終端を有し、
前記第１のワイヤーと第２のワイヤー各々の少なくとも１つ以上の終端部が前記筐体の穴を通って前記筐体の外側に位置し、
さらに前記筐体の外側に設けられた前記終端部の取り付け位置が調整可能である画像読取装置。
【請求項２】
筐体と、
前記筐体内に格納された画像読み取りのための光学ユニットと、
前記光学ユニットを移動するための光学ユニット駆動機構と
を具備し、
前記光学ユニット駆動機構は、
駆動モータと、
前記駆動モータのトルクを前記光学ユニットに伝達する１本のワイヤーと
を備え、
前記ワイヤーの両終端部が前記筐体の穴を通って前記筐体の外側に位置し、
さらに前記筐体の外側に設けられた前記終端部の取り付け位置が調整可能である画像読取装置。
【請求項３】
請求項１または２記載の画像読取装置において、
前記対応ワイヤーの前記終端部には、
圧着端子と、
長穴付ブラケットと、
前記圧着端子を前記長穴付ブラケットに取り付けるスプリングと
を具備し、
前記長穴ブラケットが前記筐体外部のワイヤー固定終端にネジ止めされる画像読取装置。
【請求項４】
筐体と、前記筐体内に格納された画像読み取りのための光学ユニットと、前記光学ユニットを移動するための光学ユニット駆動機構とを具備し、前記光学ユニット駆動機構は、駆動モータと、前記駆動モータのトルクを前記光学ユニットに伝達する１つのワイヤーとを備え、前記ワイヤーの両終端部が前記筐体の外側に位置される画像読取装置における光学ユニット位置調整方法であって、
前記筐体の外部に設けられた前記両終端部の位置を調整することにより前記光学ユニットの位置を調整するステップを具備する光学ユニット位置調整方法。
【請求項５】
請求項４記載の光学ユニット位置調整方法において、
前記位置を調整するステップは、
前記両終端部の位置を調整することにより、前記光学ユニットの先端傾きを調整するように、前記光学ユニットの位置を調整するステップを具備する光学ユニット位置調整方法。
【請求項６】
筐体と、前記筐体内に格納された画像読み取りのための光学ユニットと、前記光学ユニットを移動するための光学ユニット駆動機構とを具備し、前記光学ユニット駆動機構は、駆動モータと、前記駆動モータのトルクを前記光学ユニットに伝達する２つのワイヤーとを備え、前記２つのワイヤーの各々の片方の終端部が前記筐体の外側に位置される画像読取装置における光学ユニット位置調整方法であって、
前記筐体の外部に設けられた前記終端部の位置を調整することにより前記光学ユニットの位置を調整するステップを具備する光学ユニット位置調整方法。
【請求項７】
請求項６記載の光学ユニット位置調整方法において、
前記位置を調整するステップは、
前記終端部の位置を調整することにより、前記光学ユニットの先端傾きを調整するように、前記光学ユニットの位置を調整するステップを具備する光学ユニット位置調整方法。
【請求項８】
筐体と、前記筐体内に格納された画像読み取りのための光学ユニットと、前記光学ユニットを移動するための光学ユニット駆動機構とを具備し、前記光学ユニット駆動機構は、駆動モータと、前記駆動モータのトルクを前記光学ユニットに伝達する２つのワイヤーとを備え、前記２つのワイヤーの各々の両終端部が前記筐体の外側に位置される画像読取装置における光学ユニット位置調整方法であって、
前記筐体の外部に設けられた前記終端部の位置を調整することにより前記光学ユニットの位置を調整するステップを具備する光学ユニット位置調整方法。
【請求項９】
請求項８記載の光学ユニット位置調整方法において、
前記位置を調整するステップは、
前記終端部の位置を調整することにより、前記光学ユニットの先端傾きと先端ずれを調整するように、前記光学ユニットの位置を調整するステップを具備する光学ユニット位置調整方法。
【請求項１０】
請求項４乃至９のいずれかに記載の光学ユニット位置調整方法において、
前記終端部には、圧着端子と、長穴付ブラケットと、前記圧着端子を前記長穴付ブラケットに取り付けるスプリングとを具備し、
前記位置を調整するステップは、
前記筐体外部のワイヤー固定終端に前記長穴ブラケットを前記長穴の所望の位置でネジ止めするステップを具備する光学ユニット位置調整方法。
【発明の詳細な説明】
【技術分野】
【０００１】
本発明は、画像読取装置における、画像歪み矯正を行う技術に関する。
【背景技術】
【０００２】
ファクシミリ、複写機等に適用される画像読取装置では、原稿台ガラス上に静止状態で載置された原稿の画像を走査するため、原稿台ガラスの下部で光学ユニットを移動する。光学ユニットには駆動モータの伝達力がワイヤーを介して伝えられる。光学ユニットは、その両端が上記画像読取装置筐体内部に設置された案内部材に搭載されている。光学ユニットは、光学ユニットに備えられたワイヤ巻き付け用プーリ等にワイヤがルーティングされることによりワイヤの伝達力が伝えられる。ワイヤーを固定するための固定端は、光学ユニットが移動する筐体内部、あるいは筐体の穴を通って筐体外部に実装され固定されている。
【０００３】
光学ユニットの筐体内部における相対的な固定位置は、原稿台ガラスの原稿突き当て基準に対して、光学ユニット内にある光電変換素子の原稿読み取り位置が合致するように固定される。しかしながら、光学ユニットの固定位置合わせに際して発生するズレ量に比例して、読み取り画像の「先端ずれ」や「先端傾き」が発生する。
【０００４】
上記したような読み取り画像の「先端ずれ」や「先端傾き」の矯正を行う手段としては、原稿台ガラスを外してワイヤーの光学ユニットへの固定位置を変更したり、また、原稿台ガラスを外して筐体内に固定されたワイヤー終端部の固定位置を移動させて固定し直すことによってなされていた。
【０００５】
しかしながら、上記矯正方法では矯正毎に原稿台ガラスを外して行うため、調整作業の煩雑性があるばかりか、外的な粉塵が光学ユニットに混入して、光学ミラーや光電変換素子の読み取り光路に付着すると、この粉塵により原稿を照射した読み取り光源からの反射光が遮られ、該粉塵付着部に相当する主走査位置で画像データ抜けが発生する。その結果、読み取り画像に黒すじが発生することになる。
【０００６】
読み取り画像の矯正をするために、今までに幾つかの方法が提案されてきている。
【０００７】
例えば、従来例１として特開平０４−３３６８５５「走査装置の駆動装置」がある。図１に本構成例を示す。本手法においては、駆動用モータの脱調等に伴う読み取り画像の矯正を行うために、駆動力伝達用のワイヤー３０の終端である支持ブラケット２５が、抵抗付与ガイド２０およびスプリング４０を経て筐体外に配置されており、原稿台ガラスを外さずともワイヤーテンションの調整を行い得る。
【０００８】
しかしながら、ワイヤーの他方終端部は筐体内部に実装されており、読み取り画像の先端ずれや先端傾きの矯正を行うためには、光学ユニットとワイヤーの固定位置を変更するために原稿台を外して実施しなくてはならない。
【０００９】
また、従来例２として特開平１１−１８４０１９「画像読取装置」においては、斜行調整板５５を有し、光学センサーの読み取り位置の調整を容易にしている。図２に本構成例を示す。
【００１０】
本手法においては、斜行調整板５５を、５６方向、あるいは５７方向に調整することによってワイヤー５０の長さ調整を行うことにより、第２ミラー台５８を移動させる。
【００１１】
この第２ミラー台５８を移動させることにより、間接的に光学センサーの原稿画像の読み取り位置の調整を実施するが、その際には原稿台ガラスを外して斜行調整板５５の調整を行う実装となっている。
【００１２】
このため、調整作業の煩雑性があるばかりか、原稿台ガラスを外して調整を実施するため、外的な粉塵が本光学ユニットに混入することを排除出来ていない。
【００１３】
また、従来例３として特開２００１−２２３８４３「画像読み取り装置とその画像歪み調整方法」においては、画像歪みの調整作業時間を短縮させることを目的として、画像歪みの補正ミラーを支持するキャリッジの副走査方向（Ｙ）に対する調整を容易に出来るよう、キャリッジ移動用のワイヤーを設置している。
【００１４】
図３に本構成例を示す。本手法においては、ミラーを保持する第１のキャリッジ１００と第２のキャリッジ１１０の位置を副走査方向（Ｙ）に移動調整出来るよう、ワイヤー１２０を有している。さらにこのワイヤー１２０の両端を副走査方向（Ｙ）に位置調整可能なワイヤー保持部材１３０に固定している。
【００１５】
しかしながらこの移動用ワイヤー１２０を固定するワイヤー保持部材１３０は画像読取装置の筐体内にあるので、原稿台ガラスを外して調整を実施する必要がある。
【００１６】
【特許文献１】特開平０４−３３６８５５号公報
【特許文献２】特開平１１−１８４０１９号公報
【特許文献３】特開２００１−２２３８４３号公報
【発明の開示】
【発明が解決しようとする課題】
【００１７】
本発明の目的は、ファクシミリ、複写機等の画像読取装置において、原稿台ガラスを外さずに「先端ずれ」や「先端傾き」の矯正を行い得る簡易性を確保すると共に、原稿台ガラスを外さずに矯正を行うことにより、外的な粉塵が光学ユニットに混入することを排除し、正常な読み取り画像を確保することである。
【課題を解決するための手段】
【００１８】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１９】
本発明の、画像読取装置は、筐体（６）と、筐体内に格納された画像読み取りのための光学ユニット（２）と、光学ユニット（２）を移動するための光学ユニット駆動機構とを備え、光学ユニット駆動機構は、駆動モータ（３）と、駆動モータ（３）のトルクを光学ユニット（２）に伝達する第１のワイヤー（４）および第２のワイヤー（５）とを備え、第１のワイヤー（４）および第２のワイヤー（５）の各１つ以上の終端が筐体（６）の穴を通って筐体（６）の外側に位置し、さらに筐体（６）の外側に設けられた終端部の取り付け位置が調整可能である。
【００２０】
また、本発明の、画像読取装置は、筐体（６）と、筐体内に格納された画像読み取りのための光学ユニット（２）と、光学ユニット（２）を移動するための光学ユニット駆動機構とを備え、光学ユニット駆動機構は、駆動モータ（３）と、駆動モータ（３）のトルクを光学ユニット（２）に伝達する１本のワイヤー（４）とを備え、ワイヤー（５）の両終端が筐体（６）の穴を通って筐体（６）の外側に位置し、さらにワイヤー終端の筐体（６）の外側における取り付け位置が移動調整可能である。
【００２１】
また、本発明の画像読取装置は、請求項１または２記載の画像読取装置において、筐体（６）の外側に位置するワイヤー終端に圧着端子（８）が取り付けられ、圧着端子（８）がスプリング（９）を介して長穴付ブラケット（１０）に取り付けられ、長穴ブラケット（１０）が筐体（６）外部のワイヤー固定終端（７）にネジ（１１）止めされる。
【００２２】
また，本発明の光学ユニット位置調整方法は、筐体（６）と、筐体内に格納された画像読み取りのための光学ユニット（２）と、光学ユニット（２）を移動するための光学ユニット駆動機構とを具備し、光学ユニット駆動機構は、駆動モータ（３）と、駆動モータ（３）のトルクを光学ユニット（２）に伝達する１つのワイヤー（４）とを備え、ワイヤーの両終端部が筐体（６）の外側に位置される画像読取装置における光学ユニット位置調整方法であって、筐体（６）の外部に設けられた両終端部の位置を調整することにより光学ユニット（２）の位置を調整するステップを備える。
【００２３】
また、本発明の光学ユニット位置調整方法は、請求項４記載の光学ユニット位置調整方法において、位置を調整するステップは、両終端部の位置を調整することにより、光学ユニット（２）の先端傾きを調整するように、光学ユニット（２）の位置を調整するステップを備える。
【００２４】
また、本発明の光学ユニット位置調整方法は、筐体（６）と、前記筐体内に格納された画像読み取りのための光学ユニット（２）と、光学ユニットを移動するための光学ユニット駆動機構とを備え、光学ユニット駆動機構は、駆動モータ（３）と、駆動モータ（３）のトルクを光学ユニット（２）に伝達する２つのワイヤー（４，５）とを備え、２つのワイヤー（４，５）の各々の片方の終端部が筐体（６）の外側に位置される画像読取装置における光学ユニット位置調整方法であって、筐体（６）の外部に設けられた終端部の位置を調整することにより光学ユニット（２）の位置を調整するステップを備える。
【００２５】
また、本発明の光学ユニット位置調整方法は、請求項６記載の光学ユニット位置調整方法において、位置を調整するステップは、終端部の位置を調整することにより、光学ユニット（２）の先端傾きを調整するように、光学ユニット（２）の位置を調整するステップを備える。
【００２６】
また、本発明の光学ユニット位置調整方法は、筐体（６）と、筐体内に格納された画像読み取りのための光学ユニット（２）と、光学ユニット（２）を移動するための光学ユニット駆動機構とを備え、光学ユニット駆動機構は、駆動モータ（３）と、駆動モータ（３）のトルクを光学ユニット（２）に伝達する２つのワイヤー（４，５）とを備え、２つのワイヤー（４，５）の各々の両終端部が筐体（６）の外側に位置される画像読取装置における光学ユニット位置調整方法であって、筐体（６）の外部に設けられた終端部の位置を調整することにより光学ユニット（２）の位置を調整するステップを備える。
【００２７】
また、本発明の光学ユニット位置調整方法は、請求項８記載の光学ユニット位置調整方法において、位置を調整するステップは、終端部の位置を調整することにより、光学ユニット（２）の先端傾きと先端ずれを調整するように、光学ユニット（２）の位置を調整するステップを備える。
【００２８】
また、本発明の光学ユニット位置調整方法は、請求項４乃至９のいずれかに記載の光学ユニット位置調整方法において、終端部には、圧着端子（８）と、長穴付ブラケット（１０）と、圧着端子（８）を長穴付ブラケット（１０）に取り付けるスプリング（９）とを備え、位置を調整するステップは、筐体外部のワイヤー固定終端（７）に長穴ブラケット（１０）を長穴の所望の位置でネジ止めするステップを備える。
【発明の効果】
【００２９】
本発明では、画像読み取り用の光学ユニットを走査するための駆動力伝達用ワイヤーの少なくとも２つ以上の終端部を画像読取装置筐体の外側に固定し、また、ワイヤー終端部の固定位置を移動可能な形態とすることによって、ワイヤーに固定された光学ユニットの走査方向に対する相対位置調整を行い、原稿台ガラスを外さずに「先端ずれ」や「先端傾き」の矯正を行い得る簡易性を確保した。
【００３０】
また、この矯正方法を採用することにより、外的な粉塵が読み取り装置筐体内の光学ミラーや光電変換素子の読み取り光路へ付着することを防ぎ、この粉塵が原因で、原稿を照射した読み取り光源からの反射光が遮られ、該粉塵付着部に相当する主走査位置で画像データ抜けが発生することを阻止出来る。
【００３１】
そして、黒すじ等の無い正常な読み取り画像を確保できる。
【発明を実施するための最良の形態】
【００３２】
以下、本発明の実施の形態について図面を参照にして詳細に説明する。
【００３３】
図４に本発明の画像読取装置の概略構成図を示す。本発明の画像読取装置は大別して画像読み取り用の光学ユニット２、光学ユニット２を駆動する駆動機構、およびそれらを格納する筐体６と原稿を載置する原稿台ガラス１から構成される。
【００３４】
上記光学ユニット２は、ユニット内に、CCD等による画像読み取り機構（図示せず）および駆動動力源である駆動モータ３を包括する。
【００３５】
次に本発明の動作を説明する。動作手順としては、図４に示されるように、原稿台ガラス１に静止状態で載置された原稿の画像を走査するため、原稿台ガラス１の下部で光学ユニット２が走査方向に移動する。
【００３６】
図５に光学ユニット２の筐体６内における実装形態を示す。光学ユニット２は走査方向に移動出来るようにその両端を筐体６内部に設置された案内部材９０に搭載されている。
【００３７】
光学ユニット２を走査方向に移動するため、光学ユニット２にはドラム１２およびワイヤー巻き付け用プーリ１３，１４，１５が備えられている。ドラム１２およびワイヤー巻き付け用プーリ１３，１４，１５にワイヤー４および５がルーティングされ、駆動モータ３の伝達力がドラム１２を介して伝えられることにより光学ユニット２は走査方向に移動する。
【００３８】
図６に筐体内における光学ユニット２を省略したワイヤ４および５の這い回しの詳細レイアウトを示す。
【００３９】
ドラム１２およびワイヤー巻き付け用プーリ１３，１４，１５にルーティングされるワイヤーは４および５の２系統あり、ワイヤー４は筐体内に実装される固定端５１を始点としてドラム１２、プーリ１４およびプーリ１３にルーティングされ、最終的に筐体外部に実装されるワイヤ固定終端７に固定される。また、もう一方のワイヤー５は、筐体内に実装される固定点６１を始点としてドラム１２、プーリ１５およびプーリ１３にルーティングされ、最終的に筐体外部に実装されるワイヤ固定終端７に固定される。また、ワイヤー４および５のワイヤー固定終端７上における固定位置は、移動可能な形態をとる。
【００４０】
図８にワイヤー４および５の終端部の筐体外における固定形態の詳細８０を示す。ワイヤー４および５の終端部には圧着端子８が付けられ、スプリング９を介して長穴ブラケット１０に掛けられる。最終的にはこの長穴ブラケット１０がワイヤー固定終端７に対してネジ止めされる。
【００４１】
次に本発明の実施形態における調整方法を説明する。
【００４２】
光学ユニット２の光学的な読み取り位置は、原稿台ガラス１の原稿突き当て基準に対して設定された規格以内で固定されねばならず、ワイヤー４および５の固定端への固定位置を調整しつつ光学ユニット２の位置が確定される。実際には、光学ユニット２の筐体中での固定位置が、ワイヤー４および５の固定端への取り付け位置調整不足により左右のバランスが崩れ、原稿台ガラス１の原稿突き当て基準に対して傾くと、「先端傾き」が発生する。
【００４３】
図８に示したワイヤー４および５終端のワイヤー固定終端７上への固定形態において、長穴ブラケット１０を任意方向の位置に調整してネジ止めすることにより、ワイヤー４および５に固定されている光学ユニット２は、ワイヤー４および５の固定位置の移動量に比例して移動し、光学ユニット２の逆端側（ワイヤー４および５の固定端５１，６１が筐体内に実装されているサイド）に対して傾く。その結果、読み取り画像の「先端傾き」を相殺しうるものとなる。
【００４４】
また、図８に示すように、ワイヤー４および５の終端をスプリング９を介して筐体６に固定する形態をとることにより、ワイヤテンションを均一化して、光学ユニットへの付加変動による画像走査の速度ムラも防ぐことが出来る。
【００４５】
以上の調整行為は、ワイヤー４および５の片終端部が原稿台ガラス１または筐体６の外側に固定されているため、「先端傾き」の調整の際に原稿台ガラス１を外す必要がなく、調整行為の簡易性が確保できる。
【００４６】
また、原稿台ガラス１を外す必要がないため、光学ユニット部２に外的な粉塵が混入したりする心配がなく、画像読み取りの際に光学ユニット２等に付着する粉塵が原因で現れる黒すじ等の問題も無くなる。
【００４７】
[発明の他の実施例]
本発明の画像読取装置においては、上記実施例（図４）で示した形態の他にも光学ユニット２の両端ともに、ワイヤー４および５の終端を原稿台ガラス１または筐体６の外側に固定した形態でもよい。
【００４８】
本発明の他の実施形態に係わるワイヤレイアウトおよびワイヤ固定端の概略位置を図７に示す。
【００４９】
図７に見られるように、本発明の他の実施形態では図６に示される固定端５１，６１は全て原稿台ガラス１または筐体６の外側に実装されるワイヤー固定終端７に置き換わる。
【００５０】
他の実施例においては、ワイヤー固定終端７に対するワイヤー４および５の固定方法は４箇所とも図８で示すように、スプリングおよび長穴ブラケットを介して固定するため、固定位置の調整が可能であって、上記実施例（図４）と同様に原稿台ガラス１を開けずに「先端傾き」を調整することが出来る。
【００５１】
また、原稿台ガラス１または筐体６の外側に実装されるワイヤー固定終端７に固定されるワイヤー４および５の終端部の４箇所各々の取り付け位置において調整バランスをとることにより、光学ユニット２の走査方向に対する相対位置を調整することが可能であり、「先端ずれ」の矯正が容易になる。
【図面の簡単な説明】
【００５２】
【図１】従来例１の走査装置の駆動系の構成を示す斜視図である。
【図２】従来例２の走査装置の駆動系の構成を示すの構成図である。
【図３】従来例３の走査装置の駆動系の構成を示すの構成図である。
【図４】本発明の実施形態に係わる画像読取装置の概略構成を示す図である。
【図５】本発明の実施形態に係わる光学ユニットのレイアウト詳細を示すものである。
【図６】本発明の実施形態に係わるワイヤレイアウトおよびワイヤ固定端の概略位置を示すものである。
【図７】本発明の他の実施形態に係わるワイヤレイアウトおよびワイヤ固定端の概略位置を示すものである。
【図８】本発明の実施形態に係わるワイヤ固定終端へのワイヤ取り付けの詳細を示すものである。
【符号の説明】
【００５３】
１・・・原稿台ガラス
２・・・光学ユニット
３・・・駆動モータ
４・・・ワイヤー
５・・・ワイヤー
６・・・筐体
７・・・ワイヤー固定終端
８・・・圧着端子
９・・・スプリング
１０・・・長穴付ブラケット
１１・・・ネジ
１２・・・ドラム
１３・・・プーリ
１４・・・プーリ
１５・・・プーリ
２０・・・抵抗付与ガイド
２５・・・支持ブラケット
３０・・・ワイヤー
４０・・・スプリング
５０・・・ワイヤー
５１・・・固定端
５５・・・斜行調整板
５８・・・第２ミラー台
６１・・・固定端
９０・・・案内部材
１００・・・第１のキャリッジ
１１０・・・第2のキャリッジ
１２０・・・ワイヤー
１３０・・・ワイヤー保持部材
【図１】
2005195814.tif 000003
【図２】
2005195814.tif 000004
【図３】
2005195814.tif 000005
【図４】
2005195814.tif 000006
【図５】
2005195814.tif 000007
【図６】
2005195814.tif 000008
【図７】
2005195814.tif 000009
【図８】
2005195814.tif 000010